(57)【要約】【課題】接地工事の工事内容及び接地抵抗測定の条件などについて記録し、その情報を改修工事や接地抵抗測定時に利用できる接地工事管理装置を提供する。【解決手段】携帯端末内の閲覧要求受付部４１３において指定された接地対象設備の情報に基づき、サーバー３３０内の設備データベース４２３より設備位置情報を読み出し、さらに、接地工事情報データベース４２６より接地極の施工日、当該接地対象設備に対する施工位置、接地工法、接地抵抗測定値、及び接地抵抗測定方法を表す接地工事情報を読み出し、前記読み出した設備位置情報及び接地工事情報を携帯端末３１０の表示部４１１に接地極の施工状況を平面図及び断面図で表示する。【選択図】        図３
2006216278.tif 000002
【特許請求の範囲】
【請求項１】
各種の接地対象設備について、所在位置を表す設備位置情報が記憶された設備データベースと、
接地対象設備の識別情報と、当該接地対象設備に施工された接地極の識別情報と、当該接地極の施工日、当該接地対象設備に対する施工位置、接地工法、接地抵抗測定値、及び接地抵抗測定方法を表す情報とを含んだ接地工事情報の入力を受け付ける接地工事情報入力部と、
前記入力を受け付けた接地工事情報を格納するための接地工事データベースと、
接地対象設備の指定を含んだ接地工事情報の閲覧要求を受け付ける閲覧要求受付部と、
前記受け付けた閲覧要求によって指定された接地対象設備について、前記設備データベースから設備位置情報を読み出すと共に、当該接地対象設備についての接地工事情報を前記接地工事データベースから読み出し、前記読み出した設備位置情報と、前記読み出した接地工事情報に含まれる各接地極の位置及び工法に基づいて、接地極の施工状況を平面図及び断面図で表示する接地工事情報表示部と、を備えることを特徴とする接地工事管理装置。
【請求項２】
請求項１記載の接地工事管理装置において、
地図情報が記憶された地図情報データベースを参照する地図情報参照部を備え、
前記閲覧要求受付部は、
地域を指定するための地域指定条件を受け付ける地域受付部と、
前記地域指定条件で指定された地域について、前記地図情報参照部により前記地図情報データベースから地図情報を取得する地図情報取得部と、
前記地域指定条件で指定された地域内に存在する設備の設備位置情報を前記設備データベースから取得する設備位置情報取得部と、
前記取得した地図情報に基づいて画面上に地図を表示すると共に、前記取得した設備位置情報に基づいて、該表示した地図に重ね合わせて設備を表示する表示部と、
該表示部による表示画面上での操作に基づいて、前記接地対象設備の指定を受け付ける指定受付部と、を備える接地工事管理装置。
【請求項３】
請求項１又は２記載の接地工事管理装置において、
地中に埋設された埋設物について、識別情報、位置情報、深さ情報、及び、大きさ情報が格納された埋設物データベースを更に備え、
前記接地工事情報表示部は、前記埋設物データベースを参照して表示範囲に埋設物が存在するか否かを判定し、埋設物が存在する場合に、その埋設物を前記接地極の施工状況に重畳させて表示する機能を有することを特徴とする接地工事管理装置。
【請求項４】
請求項１〜３記載の接地工事管理装置において、過去の天候が記録された天候データベースを参照する天候情報参照部を備え、
前記接地工事情報受付部により入力された施工日に該当する天候情報を前記天候情報参照部により取得し、その天候情報を前記接地工事情報に含めて記憶することを特徴とする接地工事管理装置。
【請求項５】
各種の接地対象設備について、所在位置を表す設備位置情報が記憶された設備データベースへアクセス可能なコンピュータにより接地工事を管理する方法であって、
前記コンピュータが、
接地対象設備の識別情報と、当該接地対象設備に施工された接地極の識別情報と、当該接地極の施工日、当該接地対象設備に対する施工位置、接地工法、接地抵抗測定値、及び接地抵抗測定方法を表す情報とを含んだ接地工事情報の入力を受け付けるステップと、
前記入力を受け付けた接地工事情報を接地工事データベースに格納するステップと、
接地対象設備の指定を含んだ接地工事情報の閲覧要求を受け付けるステップと、
前記受け付けた閲覧要求によって指定された接地対象設備について、前記設備データベースから設備位置情報を読み出すと共に、当該接地対象設備についての接地工事情報を前記接地工事データベースから読み出し、前記読み出した設備位置情報と、前記読み出した接地工事情報に含まれる各接地極の位置及び工法に基づいて、接地極の施工状況を平面図及び断面図で表示するステップと、を実行することを特徴とする接地工事管理方法。
【発明の詳細な説明】
【技術分野】
【０００１】
本発明は接地極設置工事のデータ管理装置及び方法に係り、特に過去の接地工事の内容を記録し、より効率のよい改修工事を行うためのデータの管理装置及び方法に関する。
【背景技術】
【０００２】
電気設備の感電漏電等の事故を防止するために、電気設備に生じた故障電流が人体側に流れないように、電気設備と地面を電気的に接続し、接地抵抗値を所定の規定値以下にすることが義務付けられている（例えば非特許文献１を参照）。このため、電力会社等では、定期的に接地抵抗測定器を用いて接地抵抗値を計測し、接地抵抗が規定値を超えている場合には、接地抵抗値が規定値以下になるように接地極の追加などの接地改修工事等を行っている。
【非特許文献１】“電気設備に関する技術基準を定める省令”、[online]、平成９年３月２７日、経済産業省、[平成１６年１１月１８日検索]、インターネット＜http://law.e-gov.go.jp/cgi-bin/idxselect.cgi?IDX_OPT=1&H_NAME=%93%64%8b%43%90%dd%94%f5%82%c9%8a%d6%82%b7%82%e9%8b%5a%8f%70%8a%ee%8f%80%82%f0%92%e8%82%df%82%e9%8f%c8%97%df&H_NAME_YOMI=%82%a0&H_NO_GENGO=H&H_NO_YEAR=&H_NO_TYPE=2&H_NO_NO=&H_FILE_NAME=H09F03801000052&H_RYAKU=1&H_CTG=1&H_YOMI_GUN=1&H_CTG_GUN=1＞
【発明の開示】
【発明が解決しようとする課題】
【０００３】
このように接地改修工事を適切に行うには、その接地改修工事の対象である設備に既にどのような接地が行われているかを知る必要がある。例えば、電気設備に対してある方向に接地極が設けられているとすると、その接地と同じ方向に接地極を追加してもあまり効果はなく、別の方向に接地極を追加するほうが効果的である。しかしながら、従来、電気設備等に接地工事を行ったあと接地極の位置情報など工事に関する情報を記録することは行われていなかった。このため、接地極の設置後は、地中に埋設された接地極の位置を確認することができず、有効な接地改修工事を行うことが難しかった。また、過去の接地抵抗の測定に関する情報がないために、補助極の設置位置が測定ごとに異なり、測定結果にばらつきが生じてしまうことがあった。
【０００４】
そこで、本発明は上記の問題に鑑みてなされたものであり、過去の接地工事情報及び接地抵抗測定情報について記録し、接地改修工事や接地抵抗測定の時に、これらの情報や工事対象設備付近の埋設物の情報などを現場で入手することができる接地工事のデータ管理装置及び方法を提供することを目的とする。
【課題を解決するための手段】
【０００５】
上記の課題を解決するための請求項１記載の接地工事管理装置は、接地対象となる各種設備について、所在位置を表す設備位置情報が記憶された設備データベースと、接地対象設備の識別情報と、当該接地対象設備に施工された接地極の識別情報と、当該接地極の施工日、当該接地対象設備に対する施工位置、接地工法、接地抵抗測定値、及び接地抵抗測定方法を表す情報とを含んだ接地工事情報の入力を受け付ける接地工事情報入力部と、前記入力を受け付けた接地工事情報を格納するための接地工事データベースと、接地対象設備の指定を含んだ接地工事情報の閲覧要求を受け付ける閲覧要求受付部と、前記受け付けた閲覧要求によって指定された接地対象設備について、前記設備データベースから設備位置情報を読み出すと共に、当該接地対象設備についての接地工事情報を前記接地工事データベースから読み出し、前記読み出した設備位置情報と、前記読み出した接地工事情報に含まれる各接地極の位置及び工法に基づいて、接地極の施工状況を平面図及び断面図で表示する接地工事情報表示部と、を備えることを特徴とする。
【０００６】
本発明によれば、接地改修工事を行う際に、現場にて前記接地対象設備に係る過去の接地工事に関する情報及び過去の接地抵抗測定に関する情報を取得し、視覚的に把握することができる。このため、既存の接地極に応じて適切な位置に新たな接地極を埋設することができ、効率の良い接地効果を得ることができる。
【０００７】
請求項２記載の発明は、請求項１記載の接地工事管理装置において、地図情報が記憶された地図情報データベースを参照する地図情報参照部を備え、前記閲覧要求受付部は、地域を指定するための地域指定条件を受け付ける地域受付部と、前記地域指定条件で指定された地域について、前記地図情報参照部により前記地図情報データベースから地図情報を取得する地図情報取得部と、前記地域指定条件で指定された地域内に存在する設備の設備位置情報を前記設備データベースから取得する設備位置情報取得部と、前記取得した地図情報に基づいて画面上に地図を表示すると共に、前記取得した設備位置情報に基づいて、該表示した地図に重ね合わせて設備を表示する表示部と、該表示部による表示画面上での操作に基づいて、前記接地対象設備の指定を受け付ける指定受付部と、を備える。
【０００８】
これにより、接地対象設備周辺の地図情報と設備位置を、現場で接地対象設備を入力する際、地図と実際の建物等の周辺状況を対応させることができる。このため、設置対象設備を確実に入力できる。
【０００９】
請求項３記載の発明は、請求項１又は２記載の接地工事管理装置において、地中に埋設された埋設物について、識別情報、位置情報、深さ情報、及び、大きさ情報が格納された埋設物データベースを更に備え、前記接地工事情報表示部は、表示範囲に埋設物が存在する場合に、その埋設物を前記接地極の施工状況に重畳させて表示する機能を有することを特徴とする。
【００１０】
これにより、接地改修工事対象設備周辺の埋設物状況を地図に重ね合わせて表示できるため、地下の埋設物の状況を周辺状況と比較しながら視覚的に把握できる。このため、既存の埋設物を避けて新たな接地極を設置できるため、より効率のよい接地効果が得られる。
【００１１】
請求項４記載の発明は、請求項１〜３記載の接地工事管理装置において、過去の天候が記録された天候データベースを参照する天候情報参照部を備え、前記接地工事情報受付部により入力された施工日に該当する天候情報を、前記接地工事情報に含めて記憶することを特徴とする。
【００１２】
また、請求項５に記載された発明は、各種の接地対象設備について、所在位置を表す設備位置情報が記憶された設備データベースへアクセス可能なコンピュータにより接地工事を管理する方法であって、前記コンピュータが、
接地対象設備の識別情報と、当該接地対象設備に施工された接地極の識別情報と、当該接地極の施工日、当該接地対象設備に対する施工位置、接地工法、接地抵抗測定値、及び接地抵抗測定方法を表す情報とを含んだ接地工事情報の入力を受け付けるステップと、
前記入力を受け付けた接地工事情報を接地工事データベースに格納するステップと、
接地対象設備の指定を含んだ接地工事情報の閲覧要求を受け付けるステップと、
前記受け付けた閲覧要求によって指定された接地対象設備について、前記設備データベースから設備位置情報を読み出すと共に、当該接地対象設備についての接地工事情報を前記接地工事データベースから読み出し、前記読み出した設備位置情報と、前記読み出した接地工事情報に含まれる各接地極の位置及び工法に基づいて、接地極の施工状況を平面図及び断面図で表示するステップと、を実行することを特徴とする。
【発明の効果】
【００１３】
上記の発明により、過去の接地工事及び接地抵抗の測定の状況を現場で視覚的に把握することができる。これにより、例えば、新たに接地極を埋設する際には、既存の接地極の近傍を避けて新たな接地極を埋設することができるため、より効率の良い接地工事を行うことができる。また、接地抵抗測定を行う際には、補助極の位置を過去の測定時と同じ状況にして測定を行うことができ、測定結果のばらつきを抑えることができる。
【００１４】
また、接地工事対象設備付近の埋設物に関する情報を取得し重ねて表示することができるため、追加の接地極を埋設する際に、障害となる埋設物を予め避けて工事を計画することができ、接地効果の高い工事を行うことができる。さらに、測定時の天候情報を取得することで、接地抵抗の測定値に大きく影響を及ぼす雨天のような条件についても考慮し、正確な抵抗値の管理を行うことが可能になる。
【発明を実施するための最良の形態】
【００１５】
以下、本発明の一実施形態に係る接地工事管理装置について図面に基づき説明する。
【００１６】
始めに、図１及び図２を参照して、接地改修工事及び接地抵抗の測定方法について説明する。
【００１７】
図１は、接地極１４０が設置された電柱１１０を示す模式図である。図１に示すように、電柱１１０には変圧器１２０が設置されている。変圧器１２０には接地線１３０が接続されており、この接地線１３０は電柱１１０に沿って下方に伸びている。接地線１３０の先端には、地中に埋設された接地極１４０が接続されている。接地極１４０はその抵抗値が所定の規定値以下になるように、１本もしくは複数本埋設されている。この接地極１４０は経年劣化によって接地抵抗値が変化するため、接地極１４０の抵抗値を定期的に測定し接地抵抗の値が上記の規定値を超える場合には新たに接地極１４０を接続し埋設する接地改修工事を行う。
【００１８】
図２は接地抵抗の測定状況を示す模式図である。同図に示すように、接地抵抗計２７０に導線で接続された複数の補助極２８０を所定の間隔をあけて、電柱１１０から一定方向に延びる直線上に設置し、この状態で接地抵抗計２７０により接地抵抗を測定する。こうして測定される接地抵抗値は補助極２８０の周囲に例えば金属製の柵などがある場合は、その影響を受け、計測される接地抵抗の値が変化する。したがって、補助極２８０の設置方向が異なると接地抵抗の値にばらつきが生じてしまうことがある。このような理由から、接地抵抗の経年変化を正確に把握するためには、補助極２８０の設置方向を常に一定とすることが望ましい。
【００１９】
また、上記のように、定期点検において接地抵抗値が規定値を満たしていない場合には、接地極１４０を増設する等の接地改修工事を行う。しかし、新たに埋設する接地極１４０が既存の接地極１４０の近傍に埋設されると、十分な接地抵抗の低減効果を得ることができない。また、図１に示すように、電柱１１０の近傍に、例えば、地下ケーブルなどの埋設物１６０があると、この埋設物１６０が障害となりその部分には新たな接地極１４０を埋設することができない。したがって、埋設された接地極１４０の位置及び接地対象設備周辺の埋設物１６０の位置についての情報をあらかじめ得ることができることが望ましい。
【００２０】
これに対して、本実施形態の接地工事管理装置１０は、過去の接地工事における接地極の識別情報と、接地極の施工日、接地対象設備に対する施工位置、接地工法、接地抵抗の測定値、及び接地抵抗の測定方法を表す情報を記録し、接地改修工事時や接地抵抗測定時にこれらの情報や接地対象設備付近の埋設物等の情報などを、現場で地図情報に重ね合わせて表示するという機能を有し、これにより、埋設されている接地極の情報や過去の接地工事に関する情報や接地抵抗測定に関する情報を現場にて視覚的に把握することができるようにしている。以下、接地工事管理装置１０について詳細に説明する。
【００２１】
図３は本実施形態の接地工事管理装置１０の構成を示す図である。本実施形態の接地工事管理装置１０は、接地工事現場で作業員により操作される利用者用携帯端末３１０と、通信回線３２０を通じてデータの送受信をすることができるサーバー３３０とから構成される。この利用者用携帯端末３１０は例えば携帯電話やＰＤＡ、ノートパソコンなどである。
【００２２】
図４は、接地工事管理装置１０の機能ブロック図である。同図に示すように、サーバー３３０は、通信部４２１と、設備情報データベース４２３と、接地工事情報データベース４２６と、地図情報データベース４２４と、埋設物データベース４２７と、天候情報データベース４２５と、設備情報取得部４２８と、接地工事情報取得部４２９と、地図情報取得部４３０と、埋設物情報取得部４３１と、天気情報取得部４３２とを備えている。
【００２３】
設備情報データベース４２３には、接地対象設備の識別情報と設備の所在地を表す位置情報が記憶されている。設備情報取得部４２８は設備情報データベース４２３から、携帯端末３１０の地域指定受付部４１４で指定された地域の中に存在する設備に関する情報を取得する。
【００２４】
図５は、接地工事データベース４２６に記憶されたデータの構成例を示す。同図に示すように、接地工事データベース４２６には、接地対象設備の識別情報４２６Ａ、この接地極の識別情報４２６Ｂ、接地極の施工日４２６Ｃ、接地対象設備に対する施工位置４２６Ｄ、接地の工法４２６Ｅ、接地抵抗測定値４２６Ｆ、及び、接地抵抗測定方法を表す情報４２６Ｇが記憶されている。
【００２５】
接地工事情報取得部４２９は、指定された接地対象設備情報に基づき、接地工事データベース４２６から、該当する接地対象設備についての過去の接地工事に関する情報４２６Ｂ〜４２６Ｇを取得する。
【００２６】
地図情報データベース４２４には、各接地対象設備周辺の地図情報が記憶されており、地図情報取得部４３０は指定された設備の地域情報に基づきその設備周辺の地図情報を取得する。
【００２７】
図６は、埋設物データベース４２７に記憶されたデータの構成例を示す。同図に示すように、埋設物データベース４２７には、各接地対象設備周辺の地中に埋設された埋設物１６０について、識別情報４２７Ａ、位置情報４２７Ｂ、深さ情報４２７Ｃ、及び寸法情報４２７Ｄが記憶されている。埋設物情報取得部４３１は、埋設データベース４２７から、接地対象設備周辺の埋設物１６０についての情報４２７Ａ〜４２７Ｄを取得する。このように、接地工事対象設備周辺の埋設物１６０の情報を取得することにより、埋設物１６０が障害とならない位置に接地極１４０を地中に埋設することが可能になる。
【００２８】
天候情報データベース４２５には、天気情報が記憶されており、天候情報取得部４３２は、天候情報データベース４２５から接地工事施工日の天候情報を取得する。このように天候情報を取得することで、例えば雨天等により、地面が水分を含んで地盤の導電性が変化して接地抵抗の測定結果に影響を及ぼすなど、天候が接地抵抗値に及ぼす影響を考慮することが可能になる。
【００２９】
次に、携帯端末３１０の構成について説明する。図４に示すように、携帯端末３１０は、接地工事入力部４１０と、通信部４１２と、接地工事条件設定部４１３と、表示部４１１とを備えている。通信部４１２は通信回線３２０を介したサーバー３３０との通信を制御する。また、閲覧要求受付部４１３は地域指定受付部４１４と設備指定受付部４１５を備えている。接地工事入力部４１０は、接地改修工事の施工時もしくは施工終了後に接地対象設備の識別情報４２６Ａと、その接地対象設備に施工された接地極の識別情報と４２６Ｂ、その接地極の施工日４２６Ｃ、その接地対象設備に対する施工位置４２６Ｄ、接地工法４２６Ｅ、接地抵抗測定値４２６Ｆ、及び接地抵抗の測定方法を表す情報４２６Ｇとを含んだ接地工事情報の入力を受け付ける。接地工事情報入力部４１０で受け付けられた接地工事情報は通信部４１２によりサーバー３３０へ送信され、接地工事情報データベース４２６に記憶される。
【００３０】
閲覧要求受付部４１３の地域指定受付部４１４は閲覧対象となる地域の指定を受付ける。指定された地域を示す情報は通信部４１２を介してサーバー３３０へ送信される。、サーバー３３０の地図情報取得部４３０は、指定された地域の地図情報を地図情報データベース４２４から取得し、また、設備情報取得部４２８は、指定された地域内に存在する設備位置情報４２８を取得する。これらの情報は通信部４２１を介して携帯端末３１０に送られる。携帯端末３１０の表示部４１１は、前記地図情報に基づいて画面上に地図を表示するとともに、設備位置情報に基づいて、地図に重ねて設備を表示する。
【００３１】
設備指定受付部４１５は前記表示部４１１による表示画面上での操作に基づいて、接地対象設備の指定を受け付け、その結果を通信部４１２を介してサーバー３３０へ送信する。
【００３２】
次に図７のフローチャートに基づき本実施形態の処理の流れについて説明する。
【００３３】
接地工事や接地抵抗測定を行った場合には、担当者は携帯端末３１０の閲覧要求受付部４１３の地域指定受付部４１４を通して、例えば町名や郵便番号、送電線の線路名などの地域指定条件を入力する（ステップ７０１）。この地域指定条件は通信部４１２を介してサーバー３３０に送信される（ステップ７０２）。サーバー３３０では、この地域指定条件で指定された地域について、地図情報取得部４３０が地図情報データベース４２４より地図情報を取得し（ステップ７０３）、また、設備位置情報取得部４２８が、この地域内に存在する設備の設備位置情報を設備データベース４２３から取得する（ステップ７０４）。これらの情報は通信部４２１を介して携帯端末３１０に送信される（ステップ７０５）。携帯端末３１０では表示部４１１が上記地図情報に基づいて画面上に地図を表示するとともに、上記設備位置情報に基づいてこの地図に重ねあわせて設備位置を表示する（ステップ７０６，７０７）。図８はその表示画面の一例である。担当者はこの表示画面上で該当する設備をクリック操作することにより対象設備を指定する。このクリック操作に応じて、設備指定受付部４１５は担当者が指定した接地対象設備を取得する（ステップ７０８）。
【００３４】
以上のようにして指定された接地対象設備の識別情報（設置対象設備指定情報）は、通信部４１２を介してサーバー３３０に送信される（ステップ７０９）。サーバー３３０の設備位置情報取得部４２８は、設備位置データベース４２３から設置対象設備指定情報で指定された設備の位置に関する情報を設備位置情報として取得する（ステップ７１０）。また、接地工事情報取得部４２９は、指定された設備に関する接地工事や接地抵抗測定の際に登録された接地対象設備識別情報４２６Ａ、接地極識別情報４２６Ｂ、施工日４２６Ｃ、施工位置４２６Ｄ、接地工法４２６Ｅ、接地抵抗測定値４２６Ｆ、及び接地抵抗測定方法４２６Ｇを接地工事情報データベース４２６から取得する（ステップ７１１）。
【００３５】
次に、地図情報取得部４３０は、指定された設備付近の地図情報を地図情報データベース４２４から取得する（ステップ７１２）。また、埋設物情報取得部４３１は、指定された設備付近の埋設物１６０の位置情報、深さ情報、及び大きさ情報を埋設物データベース４２７から取得する（ステップ７１３）。さらに、天候情報取得部４３２は、接地工事情報取得部４２９が取得した情報に含まれる施工日の天候情報を天候情報データベース４２５から取得する（ステップ７１４）。
【００３６】
以上の設備位置情報、接地工事情報、地図情報、埋設物情報及び天候情報は通信部４２１を介して携帯端末３１０へ送信され、携帯端末３１０の表示部４１１により、これら設備位置情報及び接地工事情報に基づく画面表示が行われる（ステップ７１５，７１６）。図９は、この表示画面の一例である。同図に示すように、上記の設備位置情報、接地工事情報に含まれる各接地極１４０の位置及び深さ情報に基づいて、地中に埋設された接地極１４０やその接地極１４０に関する工事情報が平面図及び断面図上に表示される。かかる画面表示により、担当者は過去の接地工事の工事内容や測定方向などを現場にて視覚的に把握することができる。
【００３７】
また、埋設物１６０は接地極１４０を埋設する際に障害となってしまうのであるが、本実施形態では、上述のように平面図及び断面図上に埋設物を表示するので、工事担当者は、予め施工前に地下の埋設物１６０の状況が把握できる。このため、新たな接地極１４０を設置すべき位置を埋設物１６０を避けて決定することができる。
【００３８】
このように、本実施形態によれば、接地極１４０の効果的な接地極追加位置を適切に判断することができ、また、接地抵抗測定をする際に、過去の測定条件と同一の条件で測定することが可能になる。
【００３９】
また、接地工事や接地抵抗測定を行った時の天候が表示されるので、接地抵抗値がばらつきを持ってしまった場合に、その原因が接地極１４０の経年劣化であるかどうかの判断するための参考情報として用いることができる。
【００４０】
接地改修工事もしくは接地抵抗の測定が終了した際は、携帯端末３１０の接地工事情報入力部４１０より、この接地対象設備の識別情報４２６Ａ、接地極識別情報４２６Ｂ、施工日４２６Ｃ、接地対象設備に対する施工位置４２６Ｄ、接地の工法４２６Ｅ、接地抵抗測定値４２６Ｆ、接地抵抗測定方法を表す情報４２６Ｇ等を入力する（ステップ７１７，７１８）。この情報は通信部４１２を介しサーバー３３０の接地工事情報データベース４２６に記録される（ステップ７１９）。
【００４１】
上記の作業を接地改修工事及び接地抵抗測定のたびに行うことで、接地工事の状態を接地改修工事に反映できると共に、接地抵抗の経年変化を正確に把握できるので、効果的な接地改修工事と精度の高い接地抵抗測定を行うことが可能となる。
【００４２】
なお、新規に接地極１４０の設置を行う場合は、この接地工事情報の入力作業（ステップ７１７，７１８）及び接地工事情報データベースへの記録（ステップ７１９）を行うものとする。
【図面の簡単な説明】
【００４３】
【図１】接地工事の施される電柱及び接地設備の模式図である。
【図２】接地抵抗の測定装置の模式図である。
【図３】本発明の接地工事管理装置の構成を示す図である。
【図４】本発明の接地工事管理装置の機能を示す図である。
【図５】接地工事データベースの構成を示す図である。
【図６】埋設物データベースの構成を示す図である。
【図７】処理の流れを示す図である。
【図８】設備位置指定の表示画面の一実施例である。
【図９】接地工事情報の表示画面の一実施例である。
【符号の説明】
【００４４】
１１０    電柱                          １２０    変圧器
１３０    接地線                        １４０    接地極
１６０    埋設物
２７０    接地抵抗測定器                ２８０    補助極
３１０    携帯端末                      ３２０    通信回線
３３０    サーバー                      ４１０    接地工事情報入力部
４１１    表示部                        ４１２    通信部
４１３    閲覧要求受付部                ４１４    地域指定受付部
４１５    設備指定受付部                ４２１    通信部
４２２    地域受付部                    ４２３    設備情報データベース
４２４    地図情報データベース          ４２５    天候情報データベース
４２６    接地工事情報データベース      ４２７    埋設物データベース
４２８    設備情報取得部                ４２９    接地工事情報取得部
４３０    地図情報取得部                ４３１    埋設物情報取得部
４３２    天候情報取得部                ４２６Ａ  接地対象設備識別情報
４２６Ｂ  接地極識別情報                ４２６Ｃ  施工日
４２６Ｄ  施工位置                      ４２６Ｅ  接地工法
４２６Ｆ  接地抵抗測定値                ４２６Ｇ  接地抵抗測定方法
４２７Ａ  識別情報                      ４２７Ｂ  位置情報
４２７Ｃ  深さ情報                      ４２７Ｄ  大きさ情報
【図１】
2006216278.tif 000003
【図２】
2006216278.tif 000004
【図４】
2006216278.tif 000005
【図５】
2006216278.tif 000006
【図６】
2006216278.tif 000007
【図７】
2006216278.tif 000008
【図９】
2006216278.tif 000009
【図３】
2006216278.tif 000010
【図８】
2006216278.tif 000011